(57)【特許請求の範囲】
【請求項１】
薄板パネルの積重ねに用いるモジュールであって、薄板パネルの四隅部それぞれにあてがうことにより、他の別個のモジュールと協働して薄板パネルを下方から支持する支持部と、該支持部に連結され、薄板パネルの重さを上下方向に伝達する荷重伝達部と、薄板パネルの水平方向の位置決めをする位置決め部とを有する、薄板パネルの積重ねに用いるモジュールであって、
前記荷重伝達部は、前記支持部から外方に延びる荷重伝達面を有し、
前記荷重伝達面は、前記モジュールの上部に設けられた荷重受け面と、前記モジュールの下部に設けられた荷重解放面とを有し、
前記支持部は、薄板パネルを挟み込み支持する挟み込み支持部であり、前記挟み込み支持部は、上板状体と、下板状体と、該上板状体と該下板状体とにより略コの字断面を形成するように、前記上板状体の外縁と前記下板状体の外縁とを連結する上下方向壁とを有し、コの字断面の開放部から薄板パネルを前記下板状体と前記上板状体との間に挿入して、挟み込み支持を行い、前記荷重伝達面は、前記上下方向壁の外表面から外方に形成され、
前記位置決め部は、前記モジュールの下部に下方に突出する突出部を有し、上のモジュールの前記荷重解放面を下のモジュールの前記荷重受け面に載置する形態で上のモジュールを下のモジュールに積み重ねる際、上のモジュールの前記突出部の外側面を下のモジュールの上部の内側面に対して内方から当接させ、
前記突出部は、前記荷重受け面に形成された第１段差部を有し、さらに、前記荷重解放面に形成され、該第１段差部と相補形状の第２段差部を有し、前記第１段差部は、前記挟み込み支持部に対して近位側に設けられた下部水平面と、前記挟み込み支持部に対して遠位側に設けられた上部水平面と、前記下部水平面と前記上部水平面との間に介在し、前記上下方向壁の外表面から外方に上向きの第１傾斜面とを有し、
前記第２段差部は、前記挟み込み支持部に対して近位側に設けられた下部水平面と、前記挟み込み支持部に対して遠位側に設けられた上部水平面と、前記下部水平面と前記上部水平面との間に介在し、前記上下方向壁の外表面から外方に上向きの第２傾斜面とを有し、
積み重ねた状態の上下モジュールにおいて、下のモジュールの前記第１段差部の前記下部水平面、前記第１傾斜面および前記上部水平面が、上のモジュールの前記第２段差部の前記下部水平面、前記第２傾斜面および前記上部水平面に、それぞれ当接することを特徴とする薄板パネルの積重ねに用いるモジュール。
【請求項２】
前記第１傾斜面の傾斜角度は、６０度ないし７５度である、請求項１に記載の薄板パネルの積重ねに用いるモジュール。
【請求項３】
前記荷重伝達部は、前記上下方向壁の外表面に付設されたボックス構造を有し、該ボックス構造は、内部に上下方向に延びるリブを有し、その上面が、前記荷重受け面を形成し、その下面が、前記荷重解放面を形成する、請求項１または請求項２に記載の薄板パネルの積重ねに用いるモジュール。
【請求項４】
前記ボックス構造は、水平断面がＬ字形であり、前記荷重受け面において、前記上部水平面、前記第１傾斜面および前記下部水平面はそれぞれ、前記ボックス構造の一方の端面から他方の端面まで及び、前記荷重解放面において、前記上部水平面、前記第２傾斜面および前記下部水平面はそれぞれ、前記ボックス構造の一方の端面から他方の端面まで及ぶ、請求項３に記載の薄板パネルの積重ねに用いるモジュール。
【請求項５】
前記突出部は、前記上板状体の内縁に対して当接可能な係止部を前記下板状体の内縁に有する、請求項１に記載の薄板パネルの積重ねに用いるモジュール。
【請求項６】
前記係止部は、上板状体の内縁に対して内方から当接可能なように下板状体の内縁から下方に延びる内へりを有する、請求項５に記載の薄板パネルの積重ねに用いるモジュール。
【請求項７】
前記荷重伝達面は、前記モジュールの上部に設けられた荷重受け水平面と、前記モジュールの下部に設けられた荷重解放水平面とを有する、請求項５または請求項６に記載の薄板パネルの積重ねに用いるモジュール。
【請求項８】
前記薄板パネルは、矩形形状の太陽光パネルである、請求項１または請求項７のいずれか１項に記載の薄板パネルの積重ねに用いるモジュール。
【請求項９】
前記モジュールは、樹脂製であり、一体成形される、請求項１ないし請求項７のいずれか１項に記載の薄板パネルの積重ねに用いるモジュール。
【請求項１０】
略コの字断面を有し、薄板パネルを挟み込み支持する挟み込み支持部と、該挟み込み支持部に連結され、薄板パネルの重さを上下方向に伝達する荷重伝達部と、下部に設けた下方に突出する突出部を用いて薄板パネルの水平方向の位置決めをする位置決め部とを有する、薄板パネルの積重ねに用いるモジュールを準備する段階と、積み重ね予定の複数の薄板パネルに対して併行して、それぞれの四隅の各々に、モジュールをあてがう段階と、四隅に対してモジュールをあてがった複数の薄板パネルについて、各隅において、前記荷重伝達部を通じて薄板パネルの重さを上下方向に伝達しつつ、モジュールを上下方向に柱状に積み重ねる形態で、薄板パネルを順次積み重ねる段階とを有し、前記あてがい段階は、コの字断面の開放部から薄板パネルを前記下板状体と前記上板状体との間に挿入して、挟み込み支持を行う段階を有し、前記積み重ね段階は、各隅において、上方のモジュールの前記突出部の外側面を下方のモジュールの上部の内側面に対して内方から当接させることにより、上の薄板パネルを下の薄板パネルに対して水平方向に位置決めする段階を有する、  ことを特徴とする薄板パネルの積重ね方法。
【請求項１１】
前記挟み込み支持部は、上板状体と、下板状体と、該上板状体と該下板状体とにより略コの字断面を形成するように、前記上板状体の外縁と前記下板状体の外縁とを連結する上下方向壁とを有し、前記荷重伝達部は、前記上下方向壁の外表面から外方に形成された荷重伝達面を有し、前記荷重伝達面は、前記モジュールの上部に設けられた荷重受け面と、前記モジュールの下部に設けられた荷重解放面とを有し、  前記突出部は、前記荷重解放面に形成された第１段差部を有し、さらに、前記荷重受け面に形成され、該第１段差部と相補形状の第２段差部を有し、前記積み重ね段階は、各隅部において、上方のモジュールの前記荷重解放面を下方のモジュールの前記荷重受け面に載置する形態で、上方のモジュールの前記第１段差部を下方のモジュールの前記第２段差部に対して内方から当接させることにより行う、請求項１０に記載の薄板パネルの積重ね方法。
【発明の詳細な説明】
【技術分野】
【０００１】
本発明は、薄板パネルの積重ねに用いるモジュールおよび薄板パネルの積重ね方法に関し、より詳細には、モジュールにより複数の薄板パネルを支持して上下方向に積み重ねる際、薄板パネルの荷重の荷重伝達面積を十分に確保可能な薄板パネルの積重ねに用いるモジュールおよびモジュールを利用した薄板パネルの積重ね方法、あるいは複数の薄板パネルを上下方向に効率的かつ安定して積み重ねることが可能な薄板パネルの積重ねに用いるモジュールおよびモジュールを利用した薄板パネルの積重ね方法に関する。
【背景技術】
【０００２】
従来から、こわれやすい重い薄板パネル、たとえば太陽光パネルを上下方向に非接触式に積み重ねた形態で、保管したり搬送するのに、そのためのモジュールが用いられてきた。
特許文献１および特許文献２は、その一例を開示する。
【０００３】
このモジュールは、薄板パネルを下方から支持するための支持面と、該支持面から外方に延びる形態で該支持面と連結され、薄板パネルの重さを上下方向に伝達する成形品部材とを有し、この成形品部材の上下部にそれぞれ、互いに嵌り合い可能な凹部あるいは凸部を有する。  
このようなモジュールによれば、薄板パネルの四隅それぞれにモジュールをあてがい、薄板パネルをそれぞれの支持面に載置し、次いで、各隅において、新たなモジュールの成形品部材の下部の凹部をすでに配置されたモジュールの成形品部材の上部の凸部に嵌め込み、同様に次の薄板パネルを４つのモジュールにより支持することにより、薄板パネルを非接触の形態で上下方向に積み重ねることが可能である。
【０００４】
しかしながら、このようなモジュールには、以下のような技術的問題点が存する。
第１に、薄板パネルの重量を上下に伝達する荷重伝達機能を奏する成形品部材の上下部それぞれに、位置決め機能を奏する凹凸部を設けることに起因して、上下部に十分な荷重伝達面積を確保するのが困難である。そのため、各薄板パネルは、モジュールにより支持可能であるとしても、薄板パネルを上下に積み重ねるのに、各隅においてモジュールを積み重ねて柱状に形成する必要があるところ、上下に隣接するモジュール同士の荷重伝達面積が不十分なことから、柱状のモジュール自体が不安定であり、特に搬送中に、振動により柱が崩れ、積み重ねた薄板パネルの破損を引き起こしかねない。
【０００５】
第２に、複数の薄板パネルを効率的に、かつ安定的に上下方向に積み重ねることが困難な点である。
より詳細には、たとえば、積み重ねた薄板パネルをフォークリフトにより搬送するために、パレットの上面にモジュールを用いて薄板パネルを積み重ねる場合、パレットの上面に、その場で薄板パネルの四隅それぞれに相当する位置にモジュールを位置決めしないと、薄板パネルを積み重ねることができない。より具体的には、各薄板パネルを四隅それぞれにおいて、モジュールの支持面に載置し、下方から支持する形態を採用することから、予め各隅にモジュールの支持面を準備してからでないと、薄板パネルを支持することができない。この点で、複数の薄板パネルの四隅それぞれに対して、予めモジュールをあてがっておき、四隅にモジュールをあてがった状態の薄板パネルをパレットの上面において積み重ねていくことは困難である。敢えて、そのようにするとすれば、モジュールは薄板パネルの各隅部に固定されていないことから、各隅においてパレットの上面にすでに柱状に積み重ねられたモジュールに対して、薄板パネルごと４つのモジュールを同時に積み重ねる際、柱状のモジュールの安定性を損ね、場合により、柱状のモジュールをくずすことにもなりかねない。
【特許文献１】特開２００６−３２９７８号公報
【特許文献２】実開昭５５−７７９０号公報
【発明の開示】
【発明が解決しようとする課題】
【０００６】
そこで、上記技術的問題点にかんがみ、本発明の目的は、モジュールにより複数の薄板パネルを支持して上下方向に積み重ねる際、薄板パネルの荷重の荷重伝達面積を十分に確保可能な薄板パネルの積重ねに用いるモジュールおよび薄板パネルの積重ね方法を提供することにある。
そこで、上記技術的問題点にかんがみ、本発明の目的は、複数の薄板パネルを上下方向に効率的かつ安定して積み重ねることが可能な薄板パネルの積重ねに用いるモジュールおよび薄板パネルの積重ね方法を提供することにある。
【課題を解決するための手段】
【０００７】
上記課題を解決するために、本発明に係る薄板パネルの積重ねに用いるモジュールは、
薄板パネルを下方から支持する支持部と、該支持部に連結され、薄板パネルの重さを上下方向に伝達する荷重伝達部と、薄板パネルの水平方向の位置決めをする位置決め部とを有する、薄板パネルの積重ねに用いるモジュールであって、
前記荷重伝達部は、前記支持部から外方に延びる荷重伝達面を有し、
前記荷重伝達面は、前記モジュールの上部に設けられた荷重受け面と、前記モジュールの下部に設けられた荷重解放面とを有し、
前記位置決め部は、前記モジュールの下部に下方に突出する突出部を有し、上のモジュールの前記荷重解放面を下のモジュールの前記荷重受け面に載置する形態で上のモジュールを下のモジュールに積み重ねる際、上のモジュールの前記突出部の外側面を下のモジュールの上部の内側面に対して内方から当接させる、構成としている。
【０００８】
以上の構成を有する薄板パネルの積重ねに用いるモジュールによれば、複数の薄板パネルを積重ねる際、薄板パネルの外側において、薄板パネルを下方から支持するモジュールの上部の荷重受け面に、次のモジュールの下部の荷重解放面を載置し、次のモジュールにより薄板パネルを下方から支持することで、上下のモジュール間で荷重伝達が行われるとともに、上方のモジュールの下部において下方に突出する突出部の外側面を下方のモジュールの上部の内側面に対して内方から当接させることにより、上のモジュールの下のモジュールに対する外方への相対移動が規制される一方、モジュール間に薄板パネルが存在することで上のモジュールの下のモジュールに対する内方への相対移動が規制され、水平方向への位置決めがなされることから、従来のように、荷重伝達面を構成する荷重受け面上および荷重解放面上に凹凸の位置決め部を設けて、上のモジュールの下のモジュールに対する外方および内方、両方向への相対移動を規制することに起因して荷重伝達面積が減少することなしに、薄板パネルの荷重伝達面積を十分に確保することが可能である。
【０００９】
また、前記支持部は、薄板パネルを挟み込み支持する挟み込み支持部であり、
前記挟み込み支持部は、上板状体と、下板状体と、該上板状体と該下板状体とにより略コの字断面を形成するように、前記上板状体の外縁と前記下板状体の外縁とを連結する上下方向壁とを有し、コの字断面の開放部から薄板パネルを前記下板状体と前記上板状体との間に挿入して、挟み込み支持を行い、
前記荷重伝達面は、前記上下方向壁の外表面から外方に形成されるのがよい。
【００１０】
以上の構成を有する薄板パネルの積重ねに用いるモジュールによれば、挟み込み支持部のコの字断面の開放部から薄板パネルを下板状体と上板状体との間に挿入して、挟み込み支持を行い、モジュールにより挟み込み支持された下の薄板パネルに対して、モジュールにより挟み込み支持された上の薄板パネルを、下のモジュールの荷重受け面に対して上のモジュールの荷重解放面を載置することで、上下のモジュール間で荷重伝達が行われるとともに、上方のモジュールの下部において下方に突出する突出部の外側面を下方のモジュールの上部の内側面に対して内方から当接させることにより、上のモジュールが下のモジュールに対して水平方向に位置決めされ、以て薄板パネルを効率的かつ安定的に上下方向に積み重ねることが可能である。
【００１１】
また、前記突出部は、前記荷重解放面に形成された第１段差部を有し、
さらに、前記荷重受け面に形成され、該第１段差部と相補形状の第２段差部を有するのでもよい。
さらに、前記第１段差部は、前記挟み込み支持部に対して近位側に設けられた下部水平面と、前記挟み込み支持部に対して遠位側に設けられた上部水平面と、前記下部水平面と前記上部水平面との間に介在し、前記上下方向壁の外表面から外方に上向きの第１傾斜面とを有し、
前記第２段差部は、前記挟み込み支持部に対して近位側に設けられた下部水平面と、前記挟み込み支持部に対して遠位側に設けられた上部水平面と、前記下部水平面と前記上部水平面との間に介在し、前記上下方向壁の外表面から外方に上向きの第２傾斜面とを有し、
積み重ねた状態の上下モジュールにおいて、下のモジュールの前記第１段差部の前記下部水平面、前記第１傾斜面および前記上部水平面が、上のモジュールの前記第２段差部の前記下部水平面、前記第２傾斜面および前記上部水平面に、それぞれ当接するのでもよい。
【００１２】
さらにまた、前記第１傾斜面の傾斜角度は、６０度ないし７５度であるのがよい。
加えて、前記荷重伝達部は、前記上下方向壁の外表面に付設されたボックス構造を有し、該ボックス構造は、内部に上下方向に延びるリブを有し、その上面が、前記荷重受け面を形成し、その下面が、前記荷重解放面を形成するのがよい。
さらに、前記上部水平面は、前記上板状体の上面と面一となるように設けられ、それにより前記上板状体の上面が荷重受け面を構成し、前記下部水平面は、前記下板状体の下面と面一となるように設けられ、それにより前記下板状体の下面が荷重解放面を構成するのでもよい。
【００１３】
さらにまた、前記ボックス構造は、水平断面がＬ字形であり、前記荷重受け面において、前記上部水平面、前記第１傾斜面および前記下部水平面はそれぞれ、前記ボックス構造の一方の端面から他方の端面まで及び、前記荷重解放面において、前記上部水平面、前記第２傾斜面および前記下部水平面はそれぞれ、前記ボックス構造の一方の端面から他方の端面まで及ぶのでもよい。
【００１４】
加えて、前記突出部は、前記上板状体の内縁に対して当接可能な係止部を前記下板状体の内縁に有するのでもよい。
【００１５】
以上の構成を有する薄板パネルの積重ねに用いるモジュールによれば、挟み込み支持部のコの字断面の開放部から薄板パネルを下板状体と上板状体との間に挿入して、挟み込み支持を行い、モジュールにより挟み込み支持された下の薄板パネルに対して、モジュールにより挟み込み支持された上の薄板パネルを積み重ねる際、下のモジュールの荷重伝達面に対して上のモジュールの荷重伝達面を載置することで、上下のモジュール間で荷重伝達が行われるとともに、上のモジュールの下板状体の内縁に設けた係止部を、下のモジュールの上板状体の内縁に対して当接させることで、上のモジュールを下のモジュールに対して水平方向に位置決めし、以て薄板パネルを効率的かつ安定的に上下方向に積み重ねることが可能である。
【００１６】
さらに、前記係止部は、上板状体の内縁に対して内方から当接可能なように下板状体の内縁から下方に延びる内へりを有するのがよい。
さらにまた、前記荷重伝達面は、前記モジュールの上部に設けられた荷重受け水平面と、前記モジュールの下部に設けられた荷重解放水平面とを有するのがよい。
加えて、前記薄板パネルは、矩形形状の太陽光パネルであってもよい。
さらに、前記モジュールは、樹脂製であり、一体成形されるのでもよい。
【００１７】
上記課題を解決するために、本発明に係る薄板パネルの積重ね方法は、
薄板パネルを下方から支持する支持部と、該支持部に連結され、薄板パネルの重さを上下方向に伝達する荷重伝達部と、下部に設けた下方に突出する突出部を用いて薄板パネルの水平方向の位置決めをする位置決め部とを有する、薄板パネルの積重ねに用いるモジュールを準備する段階と、
複数の薄板パネルについて、各隅において、モジュールの前記支持部により下方から支持し、前記荷重伝達部を通じて薄板パネルの重さを上下方向に伝達しつつ、モジュールを上下方向に柱状に積み重ねる形態で、薄板パネルを順次積み重ねる段階とを有し、
前記積み重ね段階は、各隅において、上方のモジュールの前記突出部の外側面を下方のモジュールの上部の内側面に対して内方から当接させることにより、上の薄板パネルを下の薄板パネルに対して水平方向に位置決めする段階を有する、構成としている。
【００１８】
上記課題を解決するために、本発明に係る薄板パネルの積重ね方法は、
略コの字断面を有し、薄板パネルを挟み込み支持する挟み込み支持部と、該挟み込み支持部に連結され、薄板パネルの重さを上下方向に伝達する荷重伝達部と、下部に設けた下方に突出する突出部を用いて薄板パネルの水平方向の位置決めをする位置決め部とを有する、薄板パネルの積重ねに用いるモジュールを準備する段階と、
積み重ね予定の複数の薄板パネルに対して併行して、それぞれの四隅の各々に、モジュールをあてがう段階と、
四隅に対してモジュールをあてがった複数の薄板パネルについて、各隅において、前記荷重伝達部を通じて薄板パネルの重さを上下方向に伝達しつつ、モジュールを上下方向に柱状に積み重ねる形態で、薄板パネルを順次積み重ねる段階とを有し、
前記あてがい段階は、コの字断面の開放部から薄板パネルを前記下板状体と前記上板状体との間に挿入して、挟み込み支持を行う段階を有し、
前記積み重ね段階は、各隅において、上方のモジュールの前記突出部の外側面を下方のモジュールの上部の内側面に対して内方から当接させることにより、上の薄板パネルを下の薄板パネルに対して水平方向に位置決めする段階を有する、構成としている。
【００１９】
以上の構成を有する薄板パネルの積重ね方法によれば、積み重ね予定の複数の薄板パネルに対して併行して、四隅それぞれにモジュールをあてがっておき、四隅それぞれにモジュールをあてがった薄板パネルを、各隅において、モジュールを柱状に積み重ねる形態で、上方のモジュールの突出部の外側面を下方のモジュールの上部の内側面に対して内方から当接させることにより、上方のモジュールの下方のモジュールに対する外方への水平移動が制限されるとともに、四隅それぞれにモジュールをあてがった薄板パネルを介して、上方のモジュールの下方のモジュールに対する内方への抜けが防止され、このように、上の薄板パネルを下の薄板パネルに対して水平方向に位置決めしつつ、薄板パネルを順次上下方向に積み重ねることが可能であり、これにより、たとえば、フォークリフトにより搬送可能なようにパレットの上面に薄板パネルを積み重ねるその場で、四隅それぞれにおいて、従来のように、下のモジュールに対して上のモジュールを積み重ね、そのうえで薄板パネルを上のモジュールに載置するように、薄板パネルごとに載置されるべきモジュールを１つずつ積み重ねることなしに、積み重ね予定の複数の薄板パネルそれぞれに対して併行してモジュールを予めあてがっておくことが可能であり、以て効率的かつ安定的に薄板パネルの積み重ねを行うことが可能である。
【００２０】
さらに、前記挟み込み支持部は、上板状体と、下板状体と、該上板状体と該下板状体とにより略コの字断面を形成するように、前記上板状体の外縁と前記下板状体の外縁とを連結する上下方向壁とを有し、
前記荷重伝達部は、前記上下方向壁の外表面から外方に形成された荷重伝達面を有し、
前記荷重伝達面は、前記モジュールの上部に設けられた荷重受け面と、前記モジュールの下部に設けられた荷重解放面とを有し、
前記突出部は、前記荷重解放面に形成された第１段差部を有し、
さらに、前記荷重受け面に形成され、該第１段差部と相補形状の第２段差部を有し、
前記積み重ね段階は、各隅部において、上方のモジュールの前記荷重解放面を下方のモジュールの前記荷重受け面に載置する形態で、上方のモジュールの前記第１段差部を下方のモジュールの前記第２段差部に対して内方から当接させることにより行うのでもよい。
【００２１】
さらにまた、前記挟み込み支持部は、上板状体と、下板状体と、該上板状体と該下板状体とにより略コの字断面を形成するように、前記上板状体の外縁と前記下板状体の外縁とを連結する上下方向壁とを有し、
前記荷重伝達部は、前記上下方向壁の外表面から外方に形成された荷重伝達面を有し、
前記荷重伝達面は、前記モジュールの上部に設けられた荷重受け面と、前記モジュールの下部に設けられた荷重解放面とを有し、
前記突出部は、前記上板状体の内縁に対して当接可能な係止部を前記下板状体の内縁に有し、
前記積み重ね段階は、各隅部において、上方のモジュールの前記荷重解放面を下方のモジュールの前記荷重受け面に載置する形態で、上方のモジュールの前記係止部を下方のモジュールの前記上板状体の内縁に対して内方から当接させることにより行うのでもよい。
【発明を実施するための最良の形態】
【００２２】
本発明に係るモジュール１０の第１実施形態を、積み重ねる薄板パネルとして矩形形状の太陽光パネルPを例に、図面を参照しながら以下に詳細に説明する。
太陽光パネルPは、セルを直列接続し、樹脂や強化ガラス、金属枠で保護した薄板状をなし、より具体的には、ガラス層とプラスチック層、あるいはガラス層とガラス層との間にシリコンからなるセルが埋め込まれた積層構造であり、厚みが数ミリ、面積が数平方メートル、重量が１０ないし３０Kgに及ぶことから、精密でこわれやすい構造体である。
【００２３】
本実施形態においては、太陽光パネルPの四隅それぞれを薄板パネルの積重ねに用いるモジュール１０により直接支持する場合を説明する。
モジュール１０は、太陽光パネルPを挟み込み支持する挟み込み支持部と、挟み込み支持部に連結され、太陽光パネルPの重さを上下方向に伝達する荷重伝達部と、太陽光パネルPの水平方向の位置決めをする位置決め部とを有する。
【００２４】
図１ないし図５に示すように、モジュール１０は、中心線Ｘ−Ｘ（図３参照）に関して線対称の形状を有し、挟み込み支持部は、互いに平行に上下方向に間隔を隔てて連結された、上板状体１２と下板状体１４とからなる一対の板状体１６と、上板状体１２と下板状体１４とを連結する上下方向壁１８とを有し、荷重伝達部は、上下方向壁１８の外表面２０に付設されたボックス構造２２を有し、モジュール１０は、樹脂製であり、これらが一体成形され、後に詳細に説明するように、太陽光パネルPの四隅それぞれにモジュール１０をあてがい、太陽光パネルPを挟み込み支持したうえで、それぞれのモジュール１０に次のモジュール１０を載置して、次の太陽光パネルPを支持し、これを繰り返すことにより、太陽光パネルPを上下方向に積み重ねるようにしている。
この意味において、太陽光パネルPの重さは、各隅において、柱状に積み重ねられるモジュール１０を通じて伝達され、最下段のモジュール１０には、積み重ねた枚数分の太陽光パネルPの重さが負荷される。
【００２５】
モジュール１０の樹脂材料は、熱可塑性樹脂であり、ポリエチレン、ポリプロピレン等のオレフィン系樹脂、または非晶性樹脂などで、より具体的にはエチレン、プロピレン、ブテン、イソプレンペンテン、メチルペンテン等のオレフィン類の単独重合体あるいは共重合体であるポリオレフィン（例えば、ポリプロピレン、高密度ポリエチレン）であり、モジュール１０の構造が比較的複雑であることから、特に射出成形による一体成形に適している。
【００２６】
一対の板状体１６を構成する上板状体１２および下板状体１４はそれぞれ、Ｌ字形状を有し、上板状体１２と下板状体１４とにより、特に図１に明瞭に示すように、略コの字断面を形成するように、上板状体１２の外縁３１と下板状体１４の外縁３３とを連結するように上下方向壁１８が設けられる。
これにより、一対の板状体１６が太陽光パネルＰを挟み込み支持する挟み込み支持部を構成し、コの字断面の開放部から太陽光パネルＰを上板状体１２と下板状体１４との間に挿入して、挟み込み支持するようにしている。
よって、上板状体１２の下面と下板状体１４の上面との間の間隔、および上板状体１２および下板状体１４それぞれの面積は、太陽光パネルＰを挟み込み支持可能なように決定すればよい。このように、モジュール１０により太陽光パネルＰを挟み込み支持することにより、モジュール１０が太陽光パネルＰに固定され、後に説明するように、太陽光パネルＰの四隅にモジュール１０をあてがった状態で、太陽光パネルＰを移動することが可能である。
【００２７】
図１および図２に示すように、上板状体１２および下板状体１４それぞれには、補強リブ４１、４３が設けられ、特に太陽光パネルＰを挟み込み支持する際、下板状体１４には
太陽光パネルＰの重さが負荷されることから、下板状体１４を下方から支持するようにしている。
より詳細には、図１に示すように、上板状体１２の上側および下側それぞれに、上下方向壁１８の外表面２０と上板状体１２とを跨ぐ形態で連結する複数の補強リブ４１が適宜の間隔を隔てて設けられ、一方図２に示すように、下板状体１４の上側および下側それぞれに、上下方向壁１８の外表面２０と下板状体１４とを跨ぐ形態で連結する複数の補強リブ４３が適宜の間隔を隔てて設けられる。補強リブ４１、４３の設置数および間隔は、積み重ね対象の太陽光パネルＰの重さに応じて定めればよい。
なお、上板状体１２および下板状体１４それぞれをＬ字形でなく、矩形状とし、太陽光パネルＰの四隅でなく、太陽光パネルＰの各辺の中間部にあてがってもよく、場合により、Ｌ字形のモジュール１０を用いて太陽光パネルＰの四隅にあてがったうえで、矩形状のモジュール１０を用いて各辺の中間部にあてがってもよく、さらに四隅の一部と、各辺の中間部の一部とを併用してもよい。
【００２８】
図２に示すように、上下方向壁１８の外表面２０には、内部にリブ３６を有する水平断面Ｌ字形のボックス構造２２が設けられ、上下方向壁１８の外表面２０から外方に形成された荷重伝達面を備えた荷重伝達部を構成する。
より詳細には、ボックス構造２２の上面３７および下面３９は、互いに平行であり、太陽光パネルＰを積み重ねる際、上面３７は、上のモジュール１０からの荷重受け面７４を形成する一方、下面３９は、下のモジュール１０への荷重解放面７２を形成する。
なお、図１に示すように、上面３７には、蓋をし、図２に示すように、下面３９は開放している。
【００２９】
位置決め部は、モジュール１０の下部に下方に突出する突出部７０を有し、上方のモジュール１０の荷重解放面７２を下方のモジュール１０の荷重受け面７４に載置する形態で上方のモジュール１０を下方のモジュール１０に積み重ねる際、上方のモジュール１０の突出部７０の外側面を下方のモジュール１０の上部の内側面に対して内方から当接させる。
より詳細には、突出部７０は、荷重解放面７２に形成された第２段差部８０を有し、さらに、荷重受け面７４に形成され、第２段差部８０と相補形状の第１段差部７８を有する。
【００３０】
図１に示すように、第１段差部７８は、挟み込み支持部に対して近位側に設けられた下部水平面８２と、挟み込み支持部に対して遠位側に設けられた上部水平面８４と、下部水平面８２と上部水平面８４との間に介在し、上下方向壁の外表面から外方に上向きの第１傾斜面８６とを有する。
【００３１】
図２に示すように、一方、第２段差部８０は、挟み込み支持部に対して近位側に設けられた下部水平面８８と、挟み込み支持部に対して遠位側に設けられた上部水平面９０と、下部水平面８８と上部水平面９０との間に介在し、上下方向壁の外表面から外方に上向きの第２傾斜面９２とを有する。
これにより、積み重ねた状態の上下に隣接するモジュール１０間において、下のモジュール１０の第１段差部７８の下部水平面８２、第１傾斜面８６および上部水平面８４が、上のモジュール１０の第２段差部８0の下部水平面８８、第２傾斜面９２および上部水平面９０に、それぞれ当接するようにして、ボックス構造２２の上面３７全体が荷重受け面を構成する一方、ボックス構造２２の下面３９全体が荷重解放面を構成するようにしている。
なお、ボックス構造２２の上面３７に対して、上板状体１２は下方に位置し、上板状体１２の上面自体は、荷重受け面を構成せず、一方ボックス構造２２の下面３９に対して、下板状体１２は上方に位置し、下板状体１２の下面自体は、荷重解放面を構成するようにしていない。
【００３２】
荷重受け面７４において、上部水平面８４、第１傾斜面８６および下部水平面８２はそれぞれ、ボックス構造の一方の端面９４から他方の端面９５まで及び、荷重解放面７２において、同様に、上部水平面９０、第２傾斜面９２および下部水平面８８はそれぞれ、ボックス構造の一方の端面９４から他方の端面９５まで及ぶ。ボックス構造２２の端面９４、端面９５は、上下方向壁１８の側縁に対して面一となるように配置される。
【００３３】
以上の構成により、図６に示すように、上方のモジュール１０の荷重解放面を下方のモジュール１０の荷重受け面に載置する形態で上方のモジュールを下方のモジュールに積み重ねる際、上方のモジュール１０の第２傾斜面９２が下方のモジュール１０の第１傾斜面８６に内方から当接することにより、上方のモジュール１０の下方のモジュール１０に対する外方への水平移動が規制されるとともに、太陽光パネルＰの四隅それぞれにモジュール１０が配置されていることから、太陽光パネルＰを通じて上方のモジュール１０の内側への抜け、すなわち上方のモジュール１０の下方のモジュール１０に対する内方への水平移動も規制されるようにしている。
特に、上板状体１２および下板状体１４がいずれも、上述のように、Ｌ字形に形成されることから、それに対応して、水平面上の直交する２方向の規制が可能であり、より具体的には、上のモジュール１０の下のモジュール１０に対する直交する２方向の内方への規制がなされ、一方上のモジュール１０の下のモジュール１０に対する直交する２方向の外方への規制がなされる。
【００３４】
リブ３６は、複数枚設けられ、それぞれボックス構造２２の端面９４、９５と平行に上下方向に延びるように設けられる。
ボックス構造２２自体は、荷重伝達部を構成し、強度が要求されることから、上下面３７、３９の面積、およびボックス構造２２内のリブ３６の厚み、枚数等は、このような観点から定めればよい。
【００３５】
変形例として、ボックス構造２２の上面３７の下部水平面８２を上板状体１２の上面と面一となるように設け、それにより上板状体１２の上面も荷重受け面７４を構成するとともに、ボックス構造２２の下面３９の下部水平面８８を下板状体１４の下面と面一となるように設け、それにより下板状体１４の下面も荷重解放面７２を構成するようにしてもよい。
なお、太陽光パネルＰのコの字断面の開放部からの挿入を円滑にするために、下板状体１４の上面の内縁の両端部近傍に、ボックス構造２２に向かって下方に傾斜するスロープ（図示せず）を設けてもよい。
【００３６】
後に説明するように、このようなモジュール１０を利用して、複数の太陽光パネルＰを上下方向に積み重ねる際、各太陽光パネルＰの四隅それぞれをモジュール１０により、予め併行して挟み込み支持しておき、四隅それぞれにモジュール１０をあてがった各太陽光パネルＰを用いて、たとえばパレットの上面において積み重ねることが容易となるように、第１傾斜面８６の傾斜角度（図１においてα）は、６０度ないし７５度であるのが好ましい。６０度より小さいと、積み重ねは容易となるが、上のモジュールの下のモジュールに対する水平方向の位置決め機能が低下となり、７５度より大きいと、水平方向の位置決め機能は向上するが、その分積み重ねが困難となる。
【００３７】
以上の構成を有するモジュール１０の作用について、モジュール１０を用いて太陽光パネルPを上下方向に積み重ねる方法の説明を通じて、以下に説明する。
複数の太陽光パネルPを上下方向に積み重ねて、フォークリフトにより搬送するために、パレットの上面に太陽光パネルPを上下方向に積み重ねる場合を例に説明する。
まず、積み重ね予定の複数の太陽光パネルPに対して、それぞれの四隅の各々に、モジュール１０を併行してあてがう。より詳細には、モジュール１０のコの字断面の開放部から太陽光パネルPを下板状板１４と上板状板１２との間に挿入して、太陽光パネルPを挟み込んで、モジュール１０を太陽光パネルPに固定する。
【００３８】
このような工程を各太陽光パネルPに対して併行して行い、モジュール１０を四隅にあてがった状態の太陽光パネルPを準備しておくことにより、パレットの上面において、太陽光パネルPの四隅にモジュール１０をあてがう工程を省略することにより、効率的な太陽光パネルPの積み重ねが可能である。
【００３９】
次いで、四隅に対してモジュール１０をあてがった複数の太陽光パネルPについて、各隅において、モジュール１０を柱状に積み重ねる形態で、複数の太陽光パネルPを順次積み重ねる。より詳細には、各隅において、次のモジュール１０の第１段差部を最上部のモジュール１０の第２段差部に内方から当接させる形態で、パレットの上面に載置した最上部のモジュール１０のボックス構造２２の上面３７に、次のモジュール１０のボックス構造２２の下面３９を載置することにより、次のモジュール１０の下部水平面、第１傾斜面および上部水平面がそれぞれ、最上部のモジュール１０の下部水平面、第２傾斜面および上部水平面に当接し、次のモジュール１０のボックス構造２２の下面３９から最上部のモジュール１０のボックス構造２２の上面３７に対して荷重が伝達される態様で、各隅部においてモジュール１０を積み重ねる。
【００４０】
このとき、太陽光パネルPを最上部の太陽光パネルPに積み重ねる際、太陽光パネルPの四隅それぞれにあてがった４つのモジュール１０を対応する最上部のモジュール１０に対して同時に位置決めすることになるが、傾斜面の角度を適宜に設定することにより、このような作業を容易に行うことが可能である。
【００４１】
以上の作業を繰り返すことにより、図７に示すように、複数の太陽光パネルPの四隅それぞれにおいて、複数のモジュール１０が柱状に積み重ねられることにより、複数の太陽光パネルPを上下方向に積み重ねることが可能である。このとき、上下方向に隣接するモジュール間において、上方のモジュール１０の第１段差部が下方のモジュール１０の第２段差部に内方から当接することにより、上方のモジュール１０の下方のモジュール１０に対する外方への水平移動が抑制され、特に第１段差部および第２段差部がＬ字形であることから、互いに直交する方向への水平移動が抑制されるとともに、上方のモジュール１０の下方のモジュール１０に対する内側への抜けは、各太陽光パネルPの四隅それぞれにモジュール１０があてがわれ、柱状に積み重ねられていることから有効に防止され、内方への水平移動も抑制され、上のモジュール１０を下のモジュール１０に対して水平方向に位置決めし、以て太陽光パネルPを効率的かつ安定的に上下方向に積み重ねることが可能である。
【００４２】
次いで、たとえばフォークリフトにより、複数の太陽光パネルPが上下方向に積み重ねられた状態で最下段のパレットごと搬送し、積み重ねた状態で太陽光パネルPを所定の場所に保管することが可能である。
なお、保管場所で、積み重ねた太陽光パネルPを荷解きする場合には、積み重ねる場合と逆の手順で行うことにより、効率的に荷解きが可能である。より詳細には、四隅にモジュール１０があてがわれた状態で、太陽光パネルPをパレットから荷解きし、別の場所で、複数の太陽光パネルPからモジュール１０を併行して、取り外せばよい。
【００４３】
以上の構成を有する薄板パネルの積重ねに用いるモジュール１０によれば、複数の薄板パネルを積重ねる際、薄板パネルの外側において、薄板パネルを下方から支持するモジュール１０の上部の荷重受け面７４に、次のモジュール１０の下部の荷重解放面７２を載置し、次のモジュール１０により薄板パネルを下方から支持することで、上下のモジュール１０間で荷重伝達が行われるとともに、上方のモジュール１０の下部において下方に突出する突出部７０の外側面７６を下方のモジュール１０の上部の内側面に対して内方から当接させることにより、上のモジュール１０の下のモジュール１０に対する外方への相対移動が規制される一方、モジュール１０間に薄板パネルが存在することで上のモジュール１０の下のモジュール１０に対する内方への相対移動が規制され、水平方向への位置決めがなされることから、従来のように、荷重伝達面を構成する荷重受け面７４上および荷重解放面７２上に凹凸の位置決め部を設けて、上のモジュール１０の下のモジュール１０に対する外方および内方、両方向への相対移動を規制することに起因して荷重伝達面積が減少することなしに、薄板パネルの荷重伝達面積を十分に確保することが可能である。
【００４４】
特に、挟み込み支持部のコの字断面の開放部から薄板パネルを下板状体と上板状体との間に挿入して、挟み込み支持を行い、モジュール１０により挟み込み支持された下の薄板パネルに対して、モジュール１０により挟み込み支持された上の薄板パネルを、下のモジュール１０の荷重受け面７４に対して上のモジュール１０の荷重解放面７２を載置することで、上下のモジュール１０間で荷重伝達が行われるとともに、上方のモジュール１０の下部において下方に突出する突出部７０の外側面７６を下方のモジュール１０の上部の内側面に対して内方から当接させることにより、上のモジュール１０が下のモジュール１０に対して水平方向に位置決めされ、以て薄板パネルを効率的かつ安定的に上下方向に積み重ねることが可能である。
【００４５】
以上の構成を有する薄板パネルの積重ね方法によれば、積み重ね予定の複数の薄板パネルに対して併行して、四隅それぞれにモジュール１０をあてがっておき、四隅それぞれにモジュール１０をあてがった薄板パネルを、各隅において、モジュール１０を柱状に積み重ねる形態で、上方のモジュール１０の突出部７０の外側面７６を下方のモジュール１０の上部の内側面に対して内方から当接させることにより、上方のモジュール１０の下方のモジュール１０に対する外方への水平移動が制限されるとともに、四隅それぞれにモジュール１０をあてがった薄板パネルを介して、上方のモジュール１０の下方のモジュール１０に対する内方への抜けが防止され、このように、上の薄板パネルを下の薄板パネルに対して水平方向に位置決めしつつ、薄板パネルを順次上下方向に積み重ねることが可能であり、これにより、たとえば、フォークリフトにより搬送可能なようにパレットの上面に薄板パネルを積み重ねるその場で、四隅それぞれにおいて、従来のように、下のモジュール１０に対して上のモジュール１０を積み重ね、そのうえで薄板パネルを上のモジュール１０に載置するように、薄板パネルごとに載置されるべきモジュール１０を１つずつ積み重ねることなしに、積み重ね予定の複数の薄板パネルそれぞれに対して併行してモジュール１０を予めあてがっておくことが可能であり、以て効率的かつ安定的に薄板パネルの積み重ねを行うことが可能である。
【００４６】
以下に、本発明の第２実施形態を詳細に説明する。以下の説明では、第１実施形態と同様な構成要素には、同様な参照番号を付することにより、その説明は省略し、本実施形態の特徴について、詳細に説明する。
【００４７】
本実施形態に係るモジュール１０の特徴は、薄板パネルPの水平方向の位置決めの態様に特徴があり、それに起因して、モジュール１０の構造、特にモジュール１０の下部に下方に突出する突出部７０が第１実施形態と異なる。
より詳細には、本実施形態においても、薄板パネルPの四隅をそれぞれ、上板状体１２と下板状体１４とにより挟み込み支持する点では第１実施形態と共通であるが、図８に示すように、突出部７０は、上板状体１２の内縁８７に対して当接可能な係止部を下板状体１４の内縁８９に有する。係止部は、上板状体１２の内縁８７に対して内方から当接可能なように下板状体１４の内縁８９から下方に延びる内へり９７を有する。
内へり９７は、下板状体１４の内縁８９の全体に及び、下方への突出量は、上板状体１２の内縁８７に対して当接可能なように定めればよい。
【００４８】
これにより、薄板パネルPの四隅それぞれにおいて、上方のモジュール１０を下方のモジュール１０に載置する際、上方のモジュール１０の下板状体１４の内へり９７が下方のモジュール１０の上板状体１２の内縁８７に当接することにより、上方のモジュール１０の下方のモジュール１０に対する外方への相対移動が抑制されるとともに、薄板パネルPの四隅それぞれにモジュール１０が配置されていることから、薄板パネルPを通じて上方のモジュール１０の下方のモジュール１０に対する内方への相対移動が抑制され、上方のモジュール１０の内側への抜けも防止されるようにしている。
【００４９】
一方、荷重伝達面は、ボックス構造２２の上下面３７、３９が構成する点では、第１実施形態と共通であるが、モジュール１０の上部に設けられた荷重受け水平面９６と、モジュール１０の下部に設けられた荷重解放水平面９８とを有し、第１実施形態と異なり、図９に示すように、下板状体１４の下面は、ボックス構造２２の下面３９と面一とされ、下板状体１４の下面も荷重受け水平面９６を構成するとともに、上板状体１２の上面は、ボックス構造２２の上面３７と面一とされ、上板状体１２の上面も荷重解放水平面９８を構成する。この点において、本実施形態は、荷重受け面７４および荷重解放面７２の荷重伝達面が第１実施形態に比べて広く確保可能であることから、重量の重い薄板パネルに好適である。
【００５０】
以上のモジュール１０を用いて、薄板パネルPを積み重ねる方法は、モジュール１０により薄板パネルPの四隅それぞれを挟み込み支持し、しかも、薄板パネルPを積み重ねる前に、積み重ねるべき複数の薄板パネルPそれぞれに対してこのような挟み込み支持を併行して行っておく点では、第１実施形態と共通であるが、以下の点で、第１実施形態と異なる。
【００５１】
すなわち、積み重ね段階は、各隅部において、上方のモジュール１０の荷重解放面７２を下方のモジュール１０の荷重受け面７４に載置する形態で、上方のモジュール１０の係止部である内へり９７を下方のモジュール１０の上板状体１２の内縁８７に対して内方から当接させることにより行う。
以上の作業を繰り返すことにより、図９に示すように、複数の薄板パネルPの四隅それぞれにおいて、複数のモジュール１０が柱状に積み重ねられることにより、複数の薄板パネルPを非接触形式で上下方向に積み重ねることが可能である。
次いで、たとえばフォークリフトにより、複数の薄板パネルPが上下方向に積み重ねられた状態で最下段のパネルごと搬送し、パネルごと所定の場所に保管することが可能である。この場合、上下方向に隣接する上下モジュール１０間において、板状体１６およびボックス構造２２による十分な荷重支持面積により上モジュール１０が下モジュール１０により安定して支持されるとともに、内へり９７を通じて上モジュール１０の下モジュール１０に対する外方への水平移動が抑制されるとともに、薄板パネルPの四隅それぞれにモジュール１０が配置されていることから、薄板パネルPを通じて上方のモジュール１０の下方のモジュール１０に対する内方への相対移動が抑制されることから、特に搬送の際に、多少の振動が生じても、柱状に積み重ねられたモジュール１０、かくしてこれらのモジュール１０により支持される薄板パネルPを安定して搬送することが可能である。
【００５２】
以下に、本発明の第３実施形態を詳細に説明する。以下の説明では、第１実施形態と同様な構成要素には、同様な参照番号を付することにより、その説明は省略し、本実施形態の特徴について、詳細に説明する。
【００５３】
本実施形態に係るモジュール１０の特徴は、薄板パネルPの支持の態様にあり、それに起因して、モジュール１０の構造、特に支持部が第１実施形態と異なる。
より詳細には、第１実施形態においては、モジュール１０が薄板パネルPを挟み込み支持するために、挟み込み支持部として、互いに平行に上下方向に間隔を隔てて連結された、上板状体１２と下板状体１４とからなる一対の板状体１６と、上板状体１２と下板状体１４とを連結する上下方向壁１８とを有していたが、本実施形態においては、モジュール１０は、薄板パネルPを下方から支持するために、薄板パネルPを載置する支持板９９を有するに過ぎない。
【００５４】
図１０および図１１に示すように、支持板９９は、第１実施形態における下板状体１４と略同様な形状であり、Ｌ字状をなし、支持板９９の下面には、支持板９９が薄板パネルＰの重さを支持することから、上下方向壁１８の外表面２０と下板状体１４とを跨ぐ形態で連結する複数の補強リブ（図示せず）が適宜の間隔を隔てて設けられる。補強リブ４３の設置数および間隔は、積み重ね対象の太陽光パネルＰの重さに応じて定めればよい。
モジュールの位置決め部および荷重伝達部は、第１実施形態と同様であり、このような支持板９９を含め、一体成形品である点も第１実施形態と同様である。
【００５５】
このような態様のモジュール１０は、特に太陽光パネルPの外周縁を金属枠体Ｆに嵌め込み、この金属枠体Ｆの四隅それぞれを対応するモジュール１０の支持板９９の上面に載置して用いるのに適している。たとえば、モジュール１０を利用した太陽光パネルPの積み重ねた状態での保管期間が比較的長い一方、搬送中の振動等に起因する太陽光パネルPの上下方向の撓み変形量が比較的小さい場合には、特に適する。より具体的には、第１実施形態における太陽光パネルPの支持形態と比較して、本実施形態においては太陽光パネルPの四隅それぞれを自由端として支持することになり、その分、太陽光パネルPの上下方向の撓み変形量は大きくなりがちであるが、それを外周縁に嵌め込む金属枠体Ｆにより補い、太陽光パネルPを金属枠体Ｆを介してモジュール１０により間接的に支持することで、長期間保管するのに適している。
【００５６】
本実施形態によれば、第１実施形態と異なり、太陽光パネルPを単に支持板９９に載置するだけであるので、種々の大きさ（厚み）の太陽光パネルPに対応することが可能であり、同じモジュール１０を用いながら、厚みの異なる太陽光パネルPが混在した複数の太陽光パネルPを積み重ねることも可能である。
また、本実施形態によれば、第１実施形態と異なり、このモジュール１０を利用して太陽光パネルPを積み重ねる際、予め現場、たとえばパレット上に、太陽光パネルPの四隅それぞれに相当する位置にモジュール１０を位置決めし、位置決めされたモジュール１０の支持板９９に太陽光パネルPを載置することから、積み重ねるべき複数の太陽光パネルPそれぞれに併行して、各四隅に予めモジュール１０をあてがっておき、パレット上にモジュール１０のあてがわれた各太陽光パネルPを持ち込んで、モジュール１０上に対応するモジュール１０を載置する態様で、次々に太陽光パネルPを積み重ねることはできない。
しかしながら、逆に、第１実施形態においては、次の太陽光パネルPを既に積み重ねられた太陽光パネルPの上に積み重ねる際、各四隅において、次の太陽光パネルPの予めあてがったモジュール１０を対応するモジュール１０に対して一度に位置決めする関係から、位置決めに熟練を要するが、本実施形態においては、次の太陽光パネルPを、各四隅において、予め位置決めされたモジュール１０の支持板９９に載置するだけであるので、太陽光パネルPの積み重ね作業自体は容易となる。
【００５７】
以上、本発明の実施形態を詳細に説明したが、本発明の範囲から逸脱しない範囲内において、当業者であれば、種々の修正あるいは変更が可能である。
たとえば、第１実施形態ないし第３実施形態に関し、第１実施形態および第２実施形態においては、太陽光パネルPをモジュール１０により支持するのに、太陽光パネルPを直接挟み込み支持したが、それに限定されることなく、挟み込み支持はモジュールに載置する下方からの支持に比べ、強固な支持である点において、太陽光パネルPを直接支持するのに好適であるが、太陽光パネルPの重量、搬送態様に応じて、太陽光パネルPの外周縁を金属枠体Ｆに嵌め込み、この金属枠体Ｆの四隅それぞれをモジュール１０により間接的に挟み込み支持してもよく、一方、第３実施形態においては、太陽光パネルPをモジュール１０により支持するのに、太陽光パネルPの外周縁を金属枠体Ｆに嵌め込み、この金属枠体Ｆの四隅それぞれをモジュール１０に載置する態様で下方から支持したが、それに限定されることなく、たとえば、太陽光パネルPの重量が比較的軽く、搬送中の揺れが小さい反面、保管スペース、特に高さの制限がある場合には、金属枠体なしの太陽光パネルPを直接下方から支持してもよい。
【００５８】
さらに、本実施形態においては、複数の太陽光パネルPを上下方向に積み重ねるのに、同じモジュール１０を用いて、複数の太陽光パネルPの四隅それぞれにおいて柱状に積み重ねたが、それに限定されることなく、下層のモジュール１０ほど支持する太陽光パネルPの枚数が多いことから、その分強度が要求されるので、外形は同一だが肉厚の異なるモジュール１０を準備し、下層のモジュール１０ほど肉厚の厚いモジュール１０を採用してもよい。
【図面の簡単な説明】
【００５９】
【図１】本発明の第１実施形態に係る太陽光パネルPの積み重ねに用いるモジュール１０の斜め上方からの全体斜視図である。
【図２】本発明の第１実施形態に係る太陽光パネルPの積み重ねに用いるモジュール１０の斜め下方からの全体斜視図である。
【図３】本発明の第１実施形態に係る太陽光パネルPの積み重ねに用いるモジュール１０の平面図である。
【図４】本発明の第１実施形態に係る太陽光パネルPの積み重ねに用いるモジュール１０の底面図である。
【図５】図３の線Ｂ−Ｂに沿う断面図である。
【図６】本発明の第１実施形態に係る太陽光パネルPの積み重ねに用いるモジュール１０を積み重ねた状態を示す部分概略図である。
【図７】本発明の第１実施形態に係る太陽光パネルPの積み重ねに用いるモジュール１０を用いて、太陽光パネルPをパレットの上に積み重ね終わった状態を示す全体斜視図である。
【図８】本発明の第２実施形態に係る太陽光パネルPの積み重ねに用いるモジュール１０の図１と同様な図である。
【図９】本発明の第２実施形態に係る太陽光パネルPの積み重ねに用いるモジュール１０を積み重ねた状態を示す部分概略図である。
【図１０】本発明の第３実施形態に係る太陽光パネルPの積み重ねに用いるモジュール１０の図１と同様な図である。
【図１１】本発明の第３実施形態に係る太陽光パネルPの積み重ねに用いるモジュール１０を積み重ねた状態を示す部分概略図である。
【符号の説明】
【００６０】
P  太陽光パネル
PC パレット
Ｆ  金属枠体
α  傾斜角度
１０  モジュール
１２  上板状体
１４  下板状体
１６  板状体
１８  上下方向壁
２０  外表面
２２  ボックス構造
２６  上面
２８  下面
３６  リブ
３７  上面
３９  下面
４１  補強リブ
４３  補強リブ
４５  内縁
４９  下縁
７０  突出部
７８  第１段差部
８０  第２段差部
８２  下部水平面
８４  上部水平面
８６  第１傾斜面
８７  内縁
８８  下部水平面
９０  上部水平面
９２  第２傾斜面
９４  端面
９５  端面
９６  荷重受け水平面
９７  内へり
９８  荷重解放水平面
９９  支持板
【図１】
0005924471.tif 000002
【図２】
0005924471.tif 000003
【図３】
0005924471.tif 000004
【図４】
0005924471.tif 000005
【図５】
0005924471.tif 000006
【図６】
0005924471.tif 000007
【図７】
0005924471.tif 000008
【図８】
0005924471.tif 000009
【図９】
0005924471.tif 000010
【図１０】
0005924471.tif 000011
【図１１】
0005924471.tif 000012